(57)【要約】【課題】複数の端末に対してデータを簡単に送信することができる情報処理装置等を提供する。【解決手段】データを表すデータボタンＢ１と、そのデータの複数の宛先をそれぞれ表す宛先ボタンＢ２とを表示するボタン表示部（１４２）と、上記宛先ボタンＢ２を外縁ボタン表示領域Ｒ２内に設定するボタン表示位置設定部（１４３）と、ユーザ操作に応じて、上記複数の宛先へ上記データを送信するデータ送出部（１４４）とを備えている。【選択図】図１
2014164354.tif 000002
【特許請求の範囲】
【請求項１】
ユーザ操作を検知可能であり、かつ、アイコンを含む各種情報を表示可能なユーザインターフェース面としてのＵＩ面を備え、上記ＵＩ面に対するユーザ操作に基づいて上記アイコンを操作することにより、上記各種情報に対応したデータを転送または伝送する情報処理装置において、
上記データを転送または伝送するユーザ指示に応じて、上記データを表すデータアイコンと、転送または伝送が可能な複数の宛先をそれぞれ表す宛先アイコンとを上記ＵＩ面に表示するアイコン表示部と、
上記複数の宛先アイコンを配置する特定領域を上記ＵＩ面内に設定するとともに、上記宛先アイコンを表示する位置を上記特定領域内に設定するように、上記アイコン表示部に指示するアイコン表示位置設定部と、
上記データアイコンを、上記特定領域に表示された上記複数の宛先アイコンのいずれか１つと関連付けるためのユーザ操作に応じて、上記複数の宛先へ上記データを転送または伝送するデータ送出部とを備えたことを特徴とする情報処理装置。
【請求項２】
上記アイコン表示位置設定部は、上記複数の宛先アイコンが互いに接触した、または重なりを持った表示状態となるように、上記宛先アイコンを表示する位置を上記特定領域内に設定するとともに、ユーザ指示に応じて、接触した、または重なりを持った表示状態の宛先アイコン同士を分離して表示する一方、
上記特定領域に表示された上記複数の宛先アイコン同士が分離して表示されているとき、上記データ送出部は、データアイコンを上記複数の宛先アイコンのいずれか１つと関連付けるためのユーザ操作に応じて、その関連付けされた宛先へ上記データを転送または伝送することを特徴とする請求項１に記載の情報処理装置。
【請求項３】
上記複数の宛先のうち、どの宛先に上記データを転送または伝送したかを示す履歴情報を管理する履歴管理部をさらに備え、
上記アイコン表示部は、上記データを転送または伝送するユーザ指示に応じて、上記宛先アイコンを上記特定領域に表示するときに、上記履歴情報を参照し、上記データを転送または伝送したという履歴情報が存在する宛先を表す宛先アイコンを、上記履歴情報が存在しない宛先アイコンとユーザが識別できるように表示することを特徴とする請求項１または２に記載の情報処理装置。
【請求項４】
上記データを転送または伝送したという履歴情報が存在する宛先を示す情報を、上記履歴管理部から受け取り、上記履歴情報が存在する宛先に対し、上記データを転送または伝送することを禁止する禁止処理と、上記禁止処理をユーザの指示に応じて解除する解除処理とのうち、少なくとも、上記禁止処理を行う第１通信制御部をさらに備えたことを特徴とする請求項３に記載の情報処理装置。
【請求項５】
上記情報処理装置は、(1)上記宛先となる少なくとも１つの通信機器と、(2)上記情報処理装置と上記通信機器との間における上記データの送受信を中継するとともに、上記宛先の１つとなる中継装置とを含む通信システムを構成しており、
上記情報処理装置から上記通信機器へ、上記データを直接送信できるかどうかを判定する判定部と、
上記データを上記通信機器および中継装置のいずれに送信するかを、上記判定部の判定結果に応じて決定する第２通信制御部とをさらに備えたことを特徴とする請求項１から４のいずれか１項に記載の情報処理装置。
【発明の詳細な説明】
【技術分野】
【０００１】
本発明は、情報処理装置に関し、例えば、他の情報処理装置との間でデータの送受信を行う情報処理装置に関する。
【背景技術】
【０００２】
特許文献１には、再生中の映像コンテンツデータに関連付けされたデータボタンと、電子機器を示す宛先ボタンとを画面上に表示し、ユーザが上記データボタンを上記宛先ボタンに関連付けるためのポインティング操作を行った場合に、上記映像コンテンツデータを上記電子機器へ転送するためのユーザインターフェースを表示する情報処理端末が記載されている。
【先行技術文献】
【特許文献】
【０００３】
【特許文献１】特開２０１１−９０４６１号公報（２０１１年５月６日公開）
【発明の概要】
【発明が解決しようとする課題】
【０００４】
しかしながら、特許文献１に記載の情報処理端末では、ユーザは、再生中の映像コンテンツデータを複数の電子機器へ転送する場合、上記再生中の映像コンテンツデータに関連付けされたデータボタンを、上記複数の電子機器の各々を示す上記宛先ボタンに対して関連付けるためのポインティング操作を行う必要がある。つまり、ユーザは、上記ポインティング操作を、上記映像コンテンツデータの転送先となる電子機器の数に対応する回数だけ行う必要があるので、非常に手間に思うという問題がある。
【０００５】
本発明は、上記の課題に鑑みてなされたものであり、その目的は、手間をかけずに複数の端末に対してデータを簡単に送信することができる情報処理装置を提供することにある。
【課題を解決するための手段】
【０００６】
上記の課題を解決するために、本発明の一態様に係る情報処理装置は、ユーザ操作を検知可能であり、かつ、アイコンを含む各種情報を表示可能なユーザインターフェース面としてのＵＩ面を備え、上記ＵＩ面に対するユーザ操作に基づいて上記アイコンを操作することにより、上記各種情報に対応したデータを転送または伝送する情報処理装置において、上記データを転送または伝送するユーザ指示に応じて、上記データを表すデータアイコンと、転送または伝送が可能な複数の宛先をそれぞれ表す宛先アイコンとを上記ＵＩ面に表示するアイコン表示部と、上記複数の宛先アイコンを配置する特定領域を上記ＵＩ面内に設定するとともに、上記宛先アイコンを表示する位置を上記特定領域内に設定するように、上記アイコン表示部に指示するアイコン表示位置設定部と、上記データアイコンを、上記特定領域に表示された上記複数の宛先アイコンのいずれか１つと関連付けるためのユーザ操作に応じて、上記複数の宛先へ上記データを転送または伝送するデータ送出部とを備えた構成である。
【発明の効果】
【０００７】
本発明の一態様によれば、複数の端末に対してデータを簡単に送信することができるという効果を奏する。
【図面の簡単な説明】
【０００８】
【図１】実施形態１〜３に係る情報処理端末の構成を示す機能ブロック図である。
【図２】図１の情報処理端末において、ユーザがデータボタンを選択した際に表示される画面を示す図である。
【図３】図１の情報処理端末において、データボタンが表示された画面を示す図である。
【図４】（ａ）および（ｂ）は、図１に示す情報処理端末において、宛先ボタンが表示された画面を示す図である。
【図５】図１の情報処理端末において、宛先ボタンが表示された画面を示す他の図である。
【図６】図１の情報処理端末が実行するデータ通信の流れを示すフローチャートである。
【図７】図１の情報処理端末および受信端末が構成する通信システムの構成図である。
【発明を実施するための形態】
【０００９】
〔実施形態１〕
以下、本発明の一実施形態について、図１〜図７を用いて詳細に説明する。
【００１０】
［情報処理端末１の構成］
図１は、情報処理端末１の構成を示す機能ブロック図である。また、図２、図３は、それぞれ、情報処理端末１において、データボタンＢ１および宛先ボタンＢ２、データボタンＢ１が表示された画面を示す図である。図１に示すように、情報処理端末１は、入力部１１０、表示部１２０、通信部１３０、制御部１４０、履歴情報記憶部１５０、データ記憶部１５１、宛先情報記憶部１５２を備えている。
【００１１】
入力部１１０は、ユーザが情報処理端末１に対して行う各種操作を入力として受け付けるものである。入力部１１０は、タッチパネル、キーボード、および電源ボタン等の各種ボタンを含んでいる。表示部１２０は、各種情報を表示するものである。表示部１２０は、入力部１１０の上記タッチパネルとともに、ユーザ操作を検知可能なユーザインターフェースとしてのＵＩ面を構成する。通信部１３０は、各種無線技術により、他の端末との間でデータの送受信を行うものである。ここで、上記無線技術として、ＮＦＣ、Ｂｌｕｅｔｏｏｔｈ（登録商標）、無線ＬＡＮ、携帯電話回線（３Ｇ、４Ｇなど）を挙げることができる。
【００１２】
制御部１４０は、操作検出部１４１、表示制御部１４０Ｘ（ボタン表示部（アイコン表示部）１４２、ボタン表示位置設定部（アイコン表示位置設定部）１４３）、データ送出部１４４、履歴管理部１４５、通信制御部（第１通信制御部、第２通信制御部）１４６、および判定部１４７を備えている。
【００１３】
操作検出部１４１は、入力部１１０の操作信号から、ユーザが入力部１１０に対して行った操作を検出し、検出結果を表示制御部１４０Ｘ、データ送出部１４４、通信制御部１４６、判定部１４７に送る。
【００１４】
表示制御部１４０Ｘは、ボタン表示部１４２、ボタン表示位置設定部１４３を含み、操作検出部１４１による検出結果に応じて表示制御信号を生成して、上記表示部１２０に出力する。
【００１５】
すなわち、ボタン表示部１４２は、操作検出部１４１からの検出結果（ユーザによるデータ送信のための所定の操作）に応じて、送信することが可能なデータを表すデータボタンＢ１（データアイコン）を、表示部１２０のＵＩ画面１２０ａの中央部に位置する中央ボタン表示領域Ｒ１に表示させる（図３参照）。また、ボタン表示部１４２は、操作検出部１４１からの検出結果（ユーザＵによるデータボタンＢ１を選択する操作（例えば、データボタンＢ１を長押しする操作））に応じて、宛先ボタンＢ２（宛先アイコン）を、表示部１２０のＵＩ画面１２０ａの外縁部１２０ｂに位置する外縁ボタン表示領域Ｒ２に表示する（図２参照）。宛先ボタンＢ２は、データボタンＢ１が示すデータを送信可能な送信先（宛先）を表すものである。なお、宛先ボタンＢ２は、送信先毎に作成され、データボタンＢ１が示すデータを送信可能な数だけ生成される。ボタン表示位置設定部１４３は、操作検出部１４１による検出結果、すなわちユーザＵの操作に応じて、上記宛先ボタンＢ２を配置する外縁ボタン表示領域Ｒ２（特定領域）を上記表示部１２０の上記ＵＩ面内１０２ａに設定するとともに、上記宛先ボタンＢ２を表示する位置を上記外縁ボタン表示領域Ｒ２内に設定するように、上記ボタン表示部１４２に指示する。なお、外縁ボタン表示領域Ｒ２は、図２に示すように、ＵＩ画面１２０ａ内の外縁部に設定される必要はなく、また、形状も四角形以外の形状、例えば扇形などであってもよい。また、外縁ボタン表示領域Ｒ２には、少なくとも一つの宛先ボタンＢ２が表示される。
【００１６】
なお、上記ボタン表示部１４２とボタン表示位置設定部１４３による、ボタン表示処理の詳細については後述する。
【００１７】
データ送出部１４４は、操作検出部１４１による検出結果、すなわち上記データボタンＢ１を、上記外縁ボタン表示領域Ｒ２に表示された複数の宛先ボタンＢ２のいずれか１つと関連付けるためのユーザ操作（データ送信操作）に応じて、上記複数の宛先ボタンＢ２が示す端末（宛先）へ上記データボタンＢに対応付けられたデータを上記データ記憶部１５１から読み出して送出（転送または伝送）する。このとき、宛先ボタンＢ２が他の宛先ボタンＢ２と互いに接触したりまたは重なり合ったりした一連の宛先ボタンＢ２として表示されている場合、データ送出部１４４は、上記一連の宛先ボタンＢ２に含まれる宛先ボタンＢ２と関連付けられたすべての端末に、上記データを送出する。なお、上記データ送出部１４４は、ユーザ操作によるデータ送出を行った際に、送出したデータと送出先の端末を示した管理情報を履歴管理部１４５に送る。
【００１８】
履歴管理部１４５は、複数の宛先のうち、どの端末に上記データを転送または伝送したかを示す履歴情報を管理するものである。具体的には、上記データ送出部１４４からの管理情報から、上記履歴情報を作成し、履歴情報記憶部１５０に格納し、必要に応じて履歴情報記憶部１５０から履歴情報を読み出して、上記ボタン表示部１４２、後段の通信制御部１４６に送る。
【００１９】
上記ボタン表示部１４２は、上記データを転送または伝送するユーザ指示に応じて、上記宛先ボタンＢ２を上記外縁ボタン表示領域Ｒ２に表示させるときに、上記履歴情報記憶部１５０に記憶された履歴情報を参照し、上記データを転送または伝送したという履歴情報が存在する宛先を表す宛先ボタンＢ２を、上記履歴情報が存在しない宛先ボタンＢ２とユーザが識別できるように表示させる。通信制御部１４６（第１通信制御部）は、操作検出部１４１による検出結果がデータ送信の操作を示しているとき、履歴管理部１４５から上記履歴情報を取得して、あるデータがある端末に対して送出されたことがあるという履歴情報が存在する場合、データ送出部１４４に対して、履歴情報が存在する端末にデータを送出することを禁止する禁止処理と、上記禁止処理をユーザの指示に応じて解除する解除処理とのうち、少なくとも、上記禁止処理を行う。
【００２０】
判定部１４７は、操作検出部１４１による検出結果が、あるデータを表すデータボタンＢ１を、ある端末を示す宛先ボタンＢ２と関連付けるユーザの操作が行われたことを示しているとき、上記ある端末が上記あるデータを直接に受信することができるか否かを宛先情報記憶部１５２に記憶された宛先情報を参照して判定する。宛先情報記憶部１５２には、各宛先に対して、送信可能なデータの種類を示した情報が宛先情報として記憶されている。従って、判定部１４７は、ユーザが送信しようとするデータの種類から、当該データを送信しても問題の無い端末（宛先）であるか否かを、上記宛先情報記憶部１５２に記憶された宛先情報を参照して判定する。この判定結果は、通信制御部１４６に送られる。通信制御部１４６では、送られた判定結果から、ユーザが送信しようとしているデータの送出の可否を示した通信制御情報をデータ送出部１４４に送る。
【００２１】
［宛先ボタンＢ２の配置処理］
以下に、図４の（ａ）、（ｂ）、および図５を用いて、ボタン表示位置設定部１４３が、ユーザ操作に応じて、宛先ボタンＢ２の表示位置を外縁ボタン表示領域Ｒ２内に設定する方法を示す。図４の（ａ）、（ｂ）、および図５は、宛先ボタンＢ２が表示された画面を示す図である。
【００２２】
［１．宛先ボタンＢ２の初期配置］
ユーザが所定の操作を行ったとき、ボタン表示部１４２は、情報処理端末１との無線ペアリングが設定された各端末と関連付けられた宛先ボタンＢ２を中央ボタン表示領域Ｒ１に表示する。このとき、表示部１２０に表示されるＵＩ画面１２０ａを、図４の（ａ）および（ｂ）に示す。図４の（ａ）および（ｂ）において、中央ボタン表示領域Ｒ１に、９台の端末に対応する９つの宛先ボタンＢ２が表示されている。情報処理端末１では、ユーザが、初期設定により、図４の（ａ）および（ｂ）のいずれが表示されるかを選択することができる。
【００２３】
図４の（ａ）では、中央ボタン表示領域Ｒ１にのみ、宛先ボタンＢ２が配置されており、外縁ボタン表示領域Ｒ２には、宛先ボタンＢ２は配置されていない。一方、図４の（ｂ）では、中央ボタン表示領域Ｒ１だけでなく、外縁ボタン表示領域Ｒ２にも、９つの宛先ボタンＢ２が配置されている。
【００２４】
図４の（ａ）に示す画面では、ユーザは、中央ボタン表示領域Ｒ１に配置されたある宛先ボタンＢ２をある外縁ボタン表示領域Ｒ２までドラッグする操作を行う。すると、ボタン表示位置設定部１４３は、上記ある外縁ボタン表示領域Ｒ２に上記ある宛先ボタンＢ２を表示するように、ボタン表示部１４２に指示する。一方、図４の（ｂ）に示す画面では、情報処理端末１との無線ペアリングが設定された各端末を表す宛先ボタンＢ２が外縁ボタン表示領域Ｒ２に表示されている。従って、ユーザは、外縁ボタン表示領域Ｒ２に宛先ボタンＢ２を配置する手間を省くことができる。
【００２５】
［２．宛先ボタンＢ２の配置換え・削除］
図４の（ｂ）の画面において、ある外縁ボタン表示領域Ｒ２に表示された宛先ボタンＢ２を、他の外縁ボタン表示領域Ｒ２までドラッグする操作をユーザが行ったとき、ボタン表示位置設定部１４３は、上記宛先ボタンＢ２を、上記ある外縁ボタン表示領域Ｒ２から消去し、上記他の外縁ボタン表示領域Ｒ２に表示するように、ボタン表示部１４２に指示する。また、外縁ボタン表示領域Ｒ２に配置されたある宛先ボタンＢ２を中央ボタン表示領域Ｒ１までドラッグする操作をユーザが行ったとき、ボタン表示位置設定部１４３は、外縁ボタン表示領域Ｒ２から上記ある宛先ボタンＢ２を消去するように、ボタン表示部１４２に指示する。
【００２６】
［３．宛先ボタンＢ２の接続・切断］
外縁ボタン表示領域Ｒ２において、互いに隣接しているが、しかし分離している２つの宛先ボタンＢ２（図４の（ｂ）参照）の近接部分をタップする操作をユーザＵが行ったとき、ボタン表示位置設定部１４３は、上記２つの第２ボタン同士が互いに接触して、または互いに重なり合って表示される（図５参照）ように、ボタン表示部１４２に指示する。
【００２７】
以下では、２つの宛先ボタンＢ２が互いに接触したりまたは重なり合ったりした状態で表示されているとき、これらの宛先ボタンＢ２は接続されている、という。なお、図５では、２つの宛先ボタンＢ２が接続されているが、３つ以上の宛先ボタンＢ２が接続されてもよい。
【００２８】
また、図５に示すように、外縁ボタン表示領域Ｒ２で、接続されている２つの宛先ボタンＢ２の接触あるいは重なり部分をタップする操作をユーザＵが行ったとき、ボタン表示位置設定部１４３は、上記２つの第２ボタン同士を分離して表示するように、ボタン表示部１４２に指示する。なお、以下では、２つあるいはそれ以上の宛先ボタンＢ２が接続されていないとき、これらの宛先ボタンＢ２は切断されている、または分離されている、という。
【００２９】
データ送出部１４４は、データボタンＢ１をある宛先ボタンＢ２と関連付けるためのユーザ操作に応じて、上記ある宛先ボタンＢ２と関連付けされた宛先へ上記データを転送または伝送する。このとき、データ送出部１４４は、上記ある宛先ボタンＢ２と接続された宛先ボタンＢ２と関連付けされた宛先に対しても、上記データを転送または伝送する。しかし、上記ある宛先ボタンＢ２から分離されている宛先ボタンＢ２と関連付けされた宛先に対しては、上記データを転送および伝送しない。従って、ユーザは、複数の宛先ボタンＢ２同士を接続したり、切断したりすることによって、上記データの宛先を定めることができる。
【００３０】
［４．ボタンのプロパティ設定］
中央ボタン表示領域Ｒ１に配置された宛先ボタンＢ２を長押しする操作をユーザが行ったとき、表示制御部１４０Ｘは、上記宛先ボタンＢ２のプロパティを示すボタンプロパティ設定画面を表示部１２０のＵＩ画面１２０ａに表示させる。ユーザは、ＵＩ画面１２０ａに表示された上記ボタンプロパティ設定画面から、上記宛先ボタンＢ２のプロパティを変更（再設定）することができる。ボタン表示部１４２は、ユーザによる宛先ボタンＢ２のプロパティの変更に応じて、ＵＩ画面１２０ａに表示されている上記宛先ボタンＢ２の表示状態を変更する。
【００３１】
上記プロパティには、宛先ボタンＢ２の色、形状、宛先ボタンＢ２の表示領域内に示された特定文字列、および上記宛先ボタンＢ２上に貼り付けるアイコンが含まれてもよい。ユーザは、例えば、上記ボタンプロパティ設定画面から、宛先ボタンＢ２の色をある色から他の色へ変更することができる。また／または、ユーザは、上記特定文字列（例えば、「６」）を、他の特定文字列（例えば、「Ａ」）に変更することができる。
【００３２】
［情報処理端末１によるデータ送信の流れ］
以下に、図６および図７を用いて、ユーザが情報処理端末１から他の端末へデータを送信する際に、ユーザの操作に応じて情報処理端末１の各部が実行する処理の流れを説明する。図６は、情報処理端末１の各部が実行する処理の流れを示すフローチャートである。また、図７は、情報処理端末１および上記他の端末によって形成されるシステムの構成を示す構成図である。なお、ここでは情報処理端末１から上記他の端末へデータを送信する場合を説明するので、上記他の端末を受信端末と呼ぶ。
【００３３】
始めに、ユーザが、情報処理端末との間で各種無線を用いてデータを送受信する（データ通信する）相手となる受信端末を設定する無線ペアリング設定を行う（Ｓ１０１）。情報処理端末１との間で無線ペアリング設定が行われた上記受信端末の端末情報（ＩＤ情報）は、情報処理端末１の宛先情報記憶部１５２に記憶される。このとき、受信端末側でも、無線ペアリングの設定処理が行われる（Ｓ２０１）。
【００３４】
次に、情報処理端末１および上記受信端末は、情報処理端末自身または受信端末自身が圏外の状態であるときに、情報処理端末１または上記受信端末へ送信されたデータを一時的に保持する中継サーバ（中継装置）を設定する（Ｓ１０２、Ｓ２０２）。なお、情報処理端末１は、ある１つの受信端末との間で中継サーバ設定が行われたとき、上記ある１つの受信端末以外の受信端末に、上記中継サーバ設定を反映してもよい。これにより、上記情報処理端末１は、（１）)上記宛先となる少なくとも１つの通信機器である受信端末と、（２）上記情報処理装置と上記通信機器との間における上記データの送受信を中継するとともに、上記宛先の１つとなる中継サーバとを含む通信システムを構成する。具体的には、図７に示すように、情報処理端末１、ｎ個（ｎは自然数）の受信端末、および中継サーバ１００１が、ネットワーク１００２（図ではインターネット）を介して接続された通信システム１０００が形成されることになる。
【００３５】
次に、ある宛先ボタンＢ２をある外縁ボタン表示領域Ｒ２内に配置するユーザの操作に応じて、ボタン表示位置設定部１４３は、上記ある宛先ボタンＢ２の位置を上記ある外縁ボタン表示領域内に設定する（Ｓ１０３）。その後、ユーザが所定の操作を行うと、ボタン表示部１４２は、データを表すデータボタンＢ１を表示部１２０のＵＩ画面１２０ａの中央ボタン表示領域Ｒ１内に表示させる（図３参照）。その後、ユーザがデータボタンＢ１を選択したとき、ボタン表示部１４２は、ボタン表示位置設定部１４３の指示に従って、宛先ボタンＢ２を外縁ボタン表示領域Ｒ２内に表示させる（Ｓ１０４）（図２参照）。
【００３６】
続いて、ユーザが、外縁ボタン表示領域Ｒ２内に表示されたいずれかの宛先ボタンＢ２といずれかのデータボタンＢ１とを関連付ける特定操作を行う（Ｓ１０５）。なお、上記特定操作は、上記宛先ボタンＢ２の方向へ上記データボタンＢ１をフリックする操作であってもよいし、上記宛先ボタンＢ２にタッチする操作であってもよい。このとき、判定部１４７は、情報処理端末１から受信端末へ、上記データを直接送信できるかどうかを宛先情報記憶部１５２に記憶された宛先情報を参照して判定する（Ｓ１０６）。受信端末が情報処理端末１から直接にデータを受信することが可能であると判定部１４７が判定した場合（Ｓ１０６でＹｅｓ）、データ送出部１４４は、上記宛先ボタンＢ２が表す受信端末、および、上記宛先ボタンＢ２と接続された他の宛先ボタンＢ２が表す受信端末に、上記データボタンＢ１が表すデータを送信する（Ｓ１０７）。同時に、受信端末は、情報処理端末１から送信されたデータを受信する（Ｓ２０３）。
【００３７】
一方、受信端末が情報処理端末１から直接にデータを受信することが不可能であると判定部１４７が判定した場合（Ｓ１０６でＮｏ）、データ送出部１４４は、中継サーバ１００１へ上記データを送信する（Ｓ１０８）。上記中継サーバ１００１は、上記データを受信し（Ｓ３０１）、受信したデータを、受信端末が上記データを受信することが可能となった後、上記受信端末へ送信する（Ｓ３０１）。そして、受信端末は、中継サーバ１００１からのデータを受信する（Ｓ２０３）。
【００３８】
なお、上記ステップＳ１０５において、ユーザが、あるデータを表すデータボタンＢ１を選択したとき、通信制御部１４６は、履歴管理部１４５から上記履歴情報を取得する。そして、ある受信端末があるデータを既に送信した端末である送信済端末である場合、上記ある端末に対してデータ送出部１４４が上記あるデータを送信することを禁止する。これに従い、データ送出部１４４は、上記ある端末の宛先ボタンＢ２、あるいは、上記ある端末と接続された受信端末の宛先ボタンＢ２と、上記データボタンＢ１とを関連付ける操作をユーザが行ったとき、上記ある端末には上記データを送信しない。
【００３９】
また、ボタン表示部１４２は、上記送信済端末の宛先ボタンＢ２と、それ以外の受信端末の宛先ボタンＢ２とを互いに異なる表示状態（色、形状、大きさなど）で表示する。具体的に、ボタン表示部１４２は、上記送信済端末の宛先ボタンＢ２がグレーアウトした表示状態とする。これにより、上記送信済端末には上記データを既に送信したことがあることと、上記送信済端末には上記データが送信されないこととをユーザに示すことができる。
【００４０】
〔実施形態２〕
本発明の他の実施形態について、図１に基づいて説明すれば、以下のとおりである。なお、説明の便宜上、前記実施形態にて説明した部材と同じ機能を有する部材については、同じ符号を付記し、その説明を省略する。
【００４１】
上述した実施形態１では、通信制御部１４６は、あるデータが既に送信された端末である送信済端末に対して、上記あるデータを再度送信することを禁止した。しかしながら、上記送信済端末において上記あるデータが破損してしまった場合など、ユーザが、上記送信済端末に対して上記あるデータを再度送信したい場合があると考えられる。そこで、本実施形態では、上記送信済端末に対するあるデータの送信禁止をユーザが解除することができる構成の情報処理端末２を説明する。以下に、情報処理端末２において、ユーザがこの送信禁止を解除する手順を説明する。
【００４２】
まず、ユーザは、あるデータと関連付けられたデータボタンＢ１を選択した後、送信禁止を解除しようとする上記送信済端末の宛先ボタンを選択する操作（例えば、長押し操作）を行う。すると、表示制御部１４０Ｘは、上記送信済端末への送信禁止を解除するための送信禁止設定メニューを表示する。ユーザは、上記送信禁止設定メニューから、上記送信先禁止端末への上記あるデータの送信禁止を解除する操作を行う。すると、通信制御部１４６は、上記送信済端末に対する上記あるデータの送信禁止を解除する。
【００４３】
情報処理端末２は、ユーザが、上記送信禁止設定メニューから、受信端末へのデータの送信禁止を設定することもできる構成であってもよい。この構成では、あるデータの送信禁止が設定された受信端末の宛先ボタンＢ２が、他の受信端末の宛先ボタンＢ２と接続されている場合、上記受信端末のみが上記あるデータの送信禁止の対象となる。
【００４４】
なお、本実施形態の一変形例は、ユーザが、受信端末へのデータの送信履歴を消去することができる構成であってもよい。本変形例では、ユーザは、上記履歴情報を示す画面から、上記送信済端末に対する上記あるデータの送信履歴を消去する操作を行う。すると、通信制御部１４６は、上記送信済端末に対する上記あるデータの送信禁止を解除する。
【００４５】
〔実施形態３〕
本発明の他の実施形態について、図１に基づいて説明すれば、以下のとおりである。なお、説明の便宜上、前記実施形態にて説明した部材と同じ機能を有する部材については、同じ符号を付記し、その説明を省略する。
【００４６】
上述した実施形態１および２では、宛先ボタンＢ２が受信端末および中継サーバと関連付けられた例を説明したが、本発明はこれに限られない。すなわち、本発明において、宛先ボタンＢ２は、データを受信することができる対象であって、何らかの宛先によって、上記データの移動先、伝送先または転送先が特定されるものであればよい。以下に、具体例として、宛先ボタンＢ２が、周辺デバイス等と関連付けられる実施例１〜３を説明する。
【００４７】
実施例１は、周辺デバイスと関連付けられた宛先ボタンＢ２を含んでいる構成である。上記周辺デバイスは、具体的に、ＳＤメモリカード、ＵＳＢ  ＨＤＤなどの外部記憶装置である。本実施例１の情報処理端末３ａでは、ユーザが、上記周辺デバイスと関連付けられた宛先ボタンＢ２と、あるデータと関連付けられたデータボタンＢ１とを関連付ける操作を行うと、上記あるデータは、上記周辺デバイスに転送される。そのため、ユーザは、周辺デバイスに対して、簡単かつ素早くデータを転送することができる。
【００４８】
実施例２は、受信端末と、本実施例２の情報処理端末３ｂ上で動作する共有アプリケーションと、に関連付けられた宛先ボタンＢ２を含んでいる構成である。本実施例２では、ユーザが、上記宛先ボタンＢ２を、あるデータ（例えば、画像データ、プレゼンテーション用資料データ）を表すデータボタンＢ１と関連付ける操作を行ったとき、上記共有アプリケーションが起動する。起動した上記共有アプリケーションは、上記あるデータを受信して、ユーザに対して、上記あるデータを上記受信端末へ送信することを確認する。ユーザが確認を行うと、上記共有アプリケーションは、上記受信端末に対して、上記共有アプリケーションを起動させ、所定のネットワークへ接続するよう要求する。上記受信端末が、上記共有アプリケーションを起動させ、上記ネットワークへ接続した後、上記共有アプリケーションは、上記ネットワークを介して、上記受信端末に上記あるデータを送信する。
【００４９】
さて、アプリケーション起動用のアイコンが並んだ一般的なＨｏｍｅ画面は、複数の表示画面で構成されている場合がある。この場合、画面内には、上記複数の表示画面のうち１つの表示画面のみが表示される。実施例３は、ある表示画面内のアイコンを選択する操作をユーザが行った場合、ボタン表示位置設定部１４３が、他の表示画面内のアイコン表示領域と関連付けられた宛先ボタンＢ２（以下、表示画面ボタンと呼ぶ）を、外縁ボタン表示領域Ｒ２内に設定する構成である。ここで、上記アイコン表示領域とは、表示画面内において、アイコンが配置される表示領域のことである。なお、ボタン表示部１４２は、表示画面内に配置することができるアイコンの総数ｎと、表示画面内に既に配置されているアイコンの数ｍとを示す文字列（例えば、「（ｍ／ｎ）」）を、上記表示画面ボタン上に表示してもよい。
【００５０】
本実施例３の情報処理端末３ｃでは、ユーザは、ある表示画面のアイコンを、上記他の表示画面を表す表示画面ボタンと関連付ける操作を行う。すると、ボタン表示部１４２は、上記アイコンを上記他の表示画面内のアイコン表示領域内に移動させて表示部１２０のＵＩ画面１２０ａに表示させる。従って、ユーザは、アイコンの表示画面間の移動および削除を簡単かつ素早く行うことができる。
【００５１】
〔ソフトウェアによる実現例〕
情報処理端末１の制御部１４０の各部は、集積回路（ＩＣチップ）等に形成された論理回路（ハードウェア）によって実現してもよいし、ＣＰＵ（Central Processing Unit）を用いてソフトウェアによって実現してもよい。
【００５２】
後者の場合、情報処理端末１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００５３】
〔まとめ〕
本発明の態様１に係る情報処理装置（情報処理端末１、２、３ａ、３ｂ、３ｃ）は、ユーザ操作を検知可能であり、かつ、アイコンを含む各種情報を表示可能なユーザインターフェース面としてのＵＩ面を備え、上記ＵＩ面に対するユーザ操作に基づいて上記アイコンを操作することにより、上記各種情報に対応したデータを転送または伝送する情報処理装置（情報処理端末１）において、上記データを転送または伝送するユーザ指示に応じて、上記データを表すデータアイコンと、転送または伝送が可能な複数の宛先をそれぞれ表す宛先アイコンとを上記ＵＩ面に表示するアイコン表示部（ボタン表示部１４２）と、上記複数の宛先アイコンを配置する特定領域を上記ＵＩ面内に設定するとともに、上記宛先アイコンを表示する位置を上記特定領域内に設定するように、上記アイコン表示部に指示するアイコン表示位置設定部（ボタン表示位置指定部１４３）と、上記データアイコンを、上記特定領域に表示された上記複数の宛先アイコンのいずれか１つと関連付けるためのユーザ操作に応じて、上記複数の宛先へ上記データを転送または伝送するデータ送出部（１４４）とを備えたことを特徴とする。
【００５４】
上記の構成によれば、情報処理装置のＵＩ面には、アイコン表示位置設定部によって、データの転送または伝送が可能な複数の宛先をそれぞれ表す宛先アイコンを配置して表示するための特定領域が設定される。また、アイコン表示部は、データを転送または伝送するユーザ指示に応じて、上記データを表すデータアイコンを上記ＵＩ面に表示する。
【００５５】
ユーザが、上記データアイコンを、上記特定領域に表示された上記複数の宛先アイコンのいずれか１つと関連付けるためのユーザ操作を行うと、データ送出部は、上記複数の宛先へ上記データを転送または伝送する（以下、単に「送信する」という）。従って、ユーザは、上記データを複数の宛先に送信したい場合に、複数の宛先を個別に指定する指示を繰り返す必要がなく、データアイコンを複数の宛先アイコンのいずれか１つと関連付ける１回のユーザ操作を行うだけでよい。これにより、データを送信するためのユーザ操作を簡略化することができるという効果を奏する。
【００５６】
なお、上記宛先として、(a)上記情報処理装置と無線通信または有線通信が可能な通信機器または中継機器、(b)プリンタ、マルチメディアプレーヤーおよびＵＳＢメモリなどを含む周辺機器、(c)上記情報処理装置において実行可能なアプリケーション、(d)ＵＩ面に表示されるユーザインターフェースが複数ページで構成されている場合の特定ページなどが含まれる。
【００５７】
また、上記ＵＩ面内に設定される上記特定領域は、ＵＩ面の周辺領域の少なくとも一部領域でもよいし、上記ＵＩ面内の任意の領域でもよい。さらに、上記データアイコンを、上記複数の宛先アイコンのいずれか１つと関連付けるためのユーザ操作は、ＵＩ面に対するユーザの指によるフリックまたはドローでもよいし、データアイコンにタッチした操作に続けて複数の宛先アイコンのいずれか１つをタッチする操作でもよい。上記フリックまたはドローの操作の場合、上記データアイコンから上記複数の宛先アイコンのいずれか１つへ向かうベクトルを上記データ送出部が検知できればよいのであって、そのベクトルの先端が宛先アイコンに到達してもしなくても、どちらでもよい。
【００５８】
本発明の態様２に係る情報処理装置（情報処理端末１、２、３ａ、３ｂ、３ｃ）は、上記態様１において、上記アイコン表示位置設定部（ボタン表示位置設定部１４３）は、上記複数の宛先アイコンが互いに接触した、または重なりを持った表示状態となるように、上記宛先アイコンを表示する位置を上記特定領域内に設定するとともに、ユーザ指示に応じて、接触した、または重なりを持った表示状態の宛先アイコン同士を分離して表示する一方、上記特定領域に表示された上記複数の宛先アイコン同士が分離して表示されているとき、上記データ送出部（１４４）は、データアイコンを上記複数の宛先アイコンのいずれか１つと関連付けるためのユーザ操作に応じて、その関連付けされた宛先へ上記データを転送または伝送することを特徴とする。
【００５９】
上記の構成によれば、ＵＩ面内の上記特定領域において、複数の宛先アイコンが互いに接触した、または重なりを持った表示状態と、互いに分離した表示状態とが切り替わる。
【００６０】
ところで、複数の宛先アイコンが互いに接触した、または重なりを持った表示状態では、すでに説明したように、データアイコンを、複数の宛先アイコンのいずれか１つと関連付けるユーザ操作によって、データ送出部は、上記複数の宛先へ上記データを転送または伝送する。一方、複数の宛先アイコンが互いに分離した表示状態では、データアイコンを、複数の宛先アイコンのいずれか１つと関連付けるユーザ操作によって、その関連付けされた宛先のみへ、データ送出部は上記データを転送または伝送する。これにより、ユーザは、特定領域における複数の宛先アイコンの表示状態によって、データの一斉送付が可能か個別送付が可能かを、容易に把握することができるという効果を奏する。
【００６１】
本発明の態様３に係る情報処理装置（情報処理端末１、２、３ａ、３ｂ、３ｃ）は、上記態様１または２において、上記複数の宛先のうち、どの宛先に上記データを転送または伝送したかを示す履歴情報を管理する履歴管理部（１４５）をさらに備え、上記アイコン表示部（ボタン表示部１４２）は、上記データを転送または伝送するユーザ指示に応じて、上記宛先アイコンを上記特定領域に表示するときに、上記履歴情報を参照し、上記データを転送または伝送したという履歴情報が存在する宛先を表す宛先アイコンを、上記履歴情報が存在しない宛先アイコンとユーザが識別できるように表示することを特徴とする。
【００６２】
上記の構成によれば、履歴管理部は履歴情報を管理する、つまり、送信が済んだデータと、その送信が済んだ宛先とを対応づけた履歴情報を作成し、メモリなどに保存する。アイコン表示部は、上記履歴情報を参照して、宛先アイコンの表示状態を制御する。これにより、履歴情報が存在する宛先を表す宛先アイコンは、上記履歴情報が存在しない宛先アイコンとユーザが識別できるように表示される。
【００６３】
従って、ユーザは、複数の宛先のうち、どの宛先にはデータを送り、どの宛先には未送であるかを、容易に把握することができるという効果を奏する。なお、ユーザが識別できる宛先アイコンの表示形態には、未送の宛先アイコンをグレーに表示してもよいし、送信済みの宛先アイコンを枠で囲んで示したり、送付済みの宛先アイコンを未送の宛先アイコンより大きく表示したり、各種の表示形態を採用することができる。
【００６４】
本発明の態様４に係る情報処理装置（情報処理端末１、２、３ａ、３ｂ、３ｃ）は、上記態様３において、上記データを転送または伝送したという履歴情報が存在する宛先を示す情報を、上記履歴情報部から受け取り、上記履歴情報が存在する宛先に対し、上記データを転送または伝送することを禁止する禁止処理と、上記禁止処理をユーザの指示に応じて解除する解除処理とのうち、少なくとも、上記禁止処理を行う第１通信制御部（通信制御部１４６）をさらに備えたことを特徴とする。
【００６５】
上記の構成によれば、第１通信制御部は、上記履歴情報が存在する宛先に対し、上記データを送信することを禁止する禁止処理を少なくとも実行する。この結果、送付済みの宛先に、誤って、同じデータを送ろうとするユーザの誤操作を防止することができるという効果を奏する。加えて、上記禁止処理をユーザの指示に応じて解除する解除処理も第１通信制御部が実行可能になる場合には、必要に応じて、同じデータを同じ宛先に送ることができる。
【００６６】
本発明の態様５に係る情報処理装置（情報処置端末１、２、３ａ、３ｂ、３ｃ）は、上記態様１から４のいずれかにおいて、(a)上記宛先となる少なくとも１つの通信機器と、(b)上記情報処理装置と上記通信機器との間における上記データの送受信を中継するとともに、上記宛先の１つとなる中継装置とを含む通信システムを構成しており、上記情報処理装置から上記通信機器へ、上記データを直接送信できるかどうかを判定する判定部（１４７）と、上記データを上記通信機器および中継装置のいずれに送信するかを、上記判定部の判定結果に応じて決定する第２通信制御部（通信制御部１４６）とをさらに備えたことを特徴とする。
【００６７】
上記の構成によれば、判定部および第２通信制御部の動作によって、情報処理装置から通信機器と中継装置とのどちらへ、上記データを送信するかが決定される。従って、データアイコンを、上記特定領域に表示された複数の宛先アイコンのいずれか１つと関連付けるためのユーザ操作が行われたときに、通信機器へ直接送信できない場合には、中継装置へデータを送信することができる。これにより、情報処理装置から通信機器へデータを直接送信できない場合に、ユーザが送信を繰り返して試みる手間を省くことができる。その結果、ユーザの利便性が向上するという効果を奏する。
【００６８】
上記態様１から態様５のいずれか１つに記載の各部として、コンピュータを機能させるための情報処理プログラム、およびこの情報処理プログラムを記録したコンピュータ読み取り可能な記録媒体も、本発明の範疇に含まれる。また、上記態様１から態様５のいずれか１つに記載の情報処理装置と、上記宛先となる少なくとも１つの通信機器と、上記情報処理装置と上記通信機器との間における上記データの送受信を中継するとともに、上記宛先の１つとなる中継装置とを含むことを特徴とする通信システムも本発明の範疇に含まれる。
【産業上の利用可能性】
【００６９】
本発明は、他の端末との間でデータ通信を行う情報処理装置に利用することができる。
【符号の説明】
【００７０】
１、２、３ａ、３ｂ、３ｃ  情報処理端末（情報処理装置）、１４２  ボタン表示部（アイコン表示部）、１４３  ボタン表示位置設定部（アイコン表示位置設定部）、  １４４  データ送出部、１４５  履歴管理部、１４６  通信制御部（第１通信制御部、第２通信制御部）、１４７  判定部
【図１】
2014164354.tif 000003
【図２】
2014164354.tif 000004
【図３】
2014164354.tif 000005
【図４】
2014164354.tif 000006
【図５】
2014164354.tif 000007
【図６】
2014164354.tif 000008
【図７】
2014164354.tif 000009